(57)【要約】【課題】開口部を取り囲む既存の縁部に容易に取り付けることが可能なふかし枠を提供する。【解決手段】開口部に備えられた既存の障子とは異なる他の障子を前記開口部に新設するためのふかし枠であって、前記開口部を取り囲む縁部の縦の部位に固定される２本の縦固定部材及び前記縁部の横の部位に固定される２本の横固定部材と、前記２本の縦固定部材と前記２本の横固定部材とを、前記２本の縦固定部材の間隔及び前記２本の横固定部材の間隔が調整自在となるように連結する連結部材と、を有する。【選択図】図１
2007297831.tif 000002
【特許請求の範囲】
【請求項１】
開口部に設けられた既存の障子とは異なる他の障子を前記開口部に新設するためのふかし枠であって、
前記開口部を取り囲む縁部の縦の部位に固定される２本の縦固定部材及び前記縁部の横の部位に固定される２本の横固定部材と、
前記２本の縦固定部材と前記２本の横固定部材とを、前記２本の縦固定部材の間隔及び前記２本の横固定部材の間隔が調整自在となるように連結する連結部材と、
を有することを特徴とするふかし枠。
【請求項２】
請求項１に記載のふかし枠であって、
前記縦固定部材と前記横固定部材とは金属製であり、
前記縦固定部材と前記横固定部材とにそれぞれ嵌合され、前記縦固定部材と前記横固定部材とを覆う樹脂製の化粧部材と、
前記他の障子がガイドされるレール材と、
前記他の障子が有する戸先框が当接される当接材と、
を備え、
前記レール材は、前記横固定部材と前記化粧部材との境界部分を覆うように、また、前記当接材は、前記縦固定部材と前記化粧部材との境界部分を覆うように、それぞれ設けられていることを特徴とするふかし枠。
【請求項３】
請求項２に記載のふかし枠であって、
前記化粧部材には、前記レール材または前記当接材の見込み方向の位置を決めるための位置決め突部が、前記既存の障子とは反対側に設けられていることを特徴とするふかし枠。
【請求項４】
請求項２または請求項３に記載のふかし枠であって、
前記レール材と前記当接材とは、一方の端部が他方に突き合わされて固定され、
前記縦固定部材及び前記横固定部材の連結部分において前記レール材及び前記当接材にて覆われない間隙を塞ぐ間隙カバーを有することを特徴とするふかし枠。
【請求項５】
請求項２乃至請求項４のいずれかに記載のふかし枠であって、
前記縦固定部材及び前記横固定部材に嵌合された前記化粧部材の端部間を外側から覆うコーナー部材を有し、
前記コーナー部材は、前記縦固定部材に嵌合された前記化粧部材の下限位置を規制する規制部を有することを特徴とするふかし枠。
【請求項６】
請求項１乃至請求項５のいずれかに記載のふかし枠と、
前記ふかし枠に取り付けられる前記他の障子と、
を有することを特徴とする建具。
【発明の詳細な説明】
【技術分野】
【０００１】
本発明は、開口部に設けられた既存の障子とは異なる他の障子を新設するためのふかし枠、及び、このふかし枠を有する建具に関する。
【背景技術】
【０００２】
従来から、開口部に設けられた既存の障子の他に新たな障子を設けるために、開口部を取り囲む縁部にふかし枠を設けることが知られている。このようなふかし枠は、支持枠と取付材とを有している。支持枠は水平方向に沿った上下の支持枠と鉛直方向に沿った左右の支持枠とが予めコーナー連結ブロックで連結されて矩形状に形成されている。そして、開口部を取り囲む既存の縁部の四辺にそれぞれ取付材がビスで取着され、４つの取付材に矩形状の支持枠が嵌合された後に支持枠が縁部にビスで固着される（例えば、特許文献１参照）。
【特許文献１】実公平４−２５５１２号公報
【発明の開示】
【発明が解決しようとする課題】
【０００３】
しかしながら、上記従来のふかし枠は、４つの取付材を個別に縁部にそれぞれ取着する。このため、水平方向に沿った縁部に取着された取付材と、鉛直方向に沿った縁部に取着された取付材とに嵌合された支持枠が直交するとは限らない。一方、ふかし枠には、新たな障子が設けられるため、支持枠が直交していないと、障子を閉めても隙間が空いてしまう畏れがある。このため、取付材の取着には精度が要求されるとともに、調整が必要であり、ふかし枠の取り付け作業は煩雑で、かつ、手間と時間がかかるという課題があった。
【０００４】
本発明は、かかる課題に鑑みてなされたものであり、その目的とするところは、開口部を取り囲む既存の縁部に容易に取り付けることが可能なふかし枠を提供することにある。
【課題を解決するための手段】
【０００５】
かかる目的を達成するために本発明のふかし枠は、開口部に設けられた既存の障子とは異なる他の障子を前記開口部に新設するためのふかし枠であって、前記開口部を取り囲む縁部の縦の部位に固定される２本の縦固定部材及び前記縁部の横の部位に固定される２本の横固定部材と、前記２本の縦固定部材と前記２本の横固定部材とを、前記２本の縦固定部材の間隔及び前記２本の横固定部材の間隔が調整自在となるように連結する連結部材と、を有することを特徴とする。
【０００６】
このようなふかし枠は、２本の縦固定部材と２本の横固定部材とを連結部材により連結した状態で既存の縁部に取り付けられる。このため、固定部材を個々に縁部に取り付ける場合より、互いの相対位置を合わせ易い。例えば２本の縦固定部材同士及び２本の横固定部材同士が互いに平行になるように、また、縦固定部材と横固定部材とが直交するように連結したうえで縁部に固定することが可能である。このため、縁部に固定した後に調整する必要がないので施工が容易である。ここで、ふかし枠が取り付けられる縁部は、例えば開口部の上方に位置するまぐさ、下方に位置する窓台、左右に位置する方立てなどの他に、まぐさ、窓台、方立てに設けられた額縁、窓枠などの開口部を取り囲むように設けられて縁部を構成するものも含んでいる。
【０００７】
また、ふかし枠は、２本の縦固定部材の間隔及び２本の横固定部材の間隔が調整自在に構成されているので、既存の縁部に応じてふかし枠のサイズを調整することが可能である。このため、施工性が良く、汎用性が高いふかし枠を提供することが可能である。
【０００８】
かかるふかし枠であって、前記縦固定部材と前記横固定部材とは金属製であり、前記縦固定部材と前記横固定部材とにそれぞれ嵌合され、前記縦固定部材と前記横固定部材とを覆う樹脂製の化粧部材と、前記他の障子がガイドされるレール材と、前記他の障子が有する戸先框が当接される当接材と、を備え、前記レール材は、前記横固定部材と前記化粧部材との境界部分を覆うように、また、前記当接材は、前記縦固定部材と前記化粧部材との境界部分を覆うように、それぞれ設けられていることが望ましい。  
このようなふかし枠によれば、金属製の縦固定部材及び横固定部材を覆う化粧部材は樹脂製なので、化粧部材の弾性により縦固定部材及び横固定部材に容易に嵌合して、縁部に固定された縦固定部材及び横固定部材を覆うことが可能である。また、レール材は、横固定部材と化粧部材との境界部分を覆うように、また、当接材は、縦固定部材と化粧部材との境界部分を覆うように設けられているので、化粧部材は縦固定部材及び横固定部材から外れにくくなり、単に勘合した場合よりも強固に取り付けることが可能である。
【０００９】
かかるふかし枠であって、前記化粧部材には、前記レール材または前記当接材の見込み方向の位置を決めるための位置決め突部が、前記既存の障子とは反対側に設けられていることが望ましい。  
このようなふかし枠によれば、レール材または当接材を位置決め突部に沿わせて固定することにより、レール材または当接材を適切な位置に、容易に配置することができるため施工が容易である。
【００１０】
かかるふかし枠であって、前記レール材と前記当接材とは、一方の端部が他方に突き合わされて固定され、前記縦固定部材及び前記横固定部材の連結部分において前記レール材及び前記当接材にて覆われない間隙を塞ぐ間隙カバーを有することが望ましい。  
このようなふかし枠によれば、縦固定部材及び横固定部材の連結部分の間隙がレール材、当接材及び間隙カバーにより塞がれるので、埃等が入り込む隙間が生じず、また、美観の優れたふかし枠を形成することが可能である。
【００１１】
かかるふかし枠であって、前記縦固定部材及び前記横固定部材に嵌合された前記化粧部材の端部間を外側から覆うコーナー部材を有し、前記コーナー部材は、前記縦固定部材に嵌合された前記化粧部材の下限位置を規制する規制部を有することが望ましい。  
このようなふかし枠によれば、コーナー部材により各化粧部材の端部間が外側から覆われるので、化粧部材の端部が外側に露出せず美観に優れたふかし枠を実現することが可能である。また、コーナー部材の規制部により化粧部材の下限位置が規制されるので、たとえ化粧部材が下方に下がってしまったとしても、規制部材に規制され、上端部が露出することを防止することが可能である。
【００１２】
また、前記ふかし枠と、前記ふかし枠に取り付けられる前記他の障子と、を有することを特徴とする建具である。  
このような建具によれば、既存の縁部に容易に取り付けられたふかし枠に障子を取り付けることにより短時間にて新たな障子を新設することが可能な、施工性が良く、汎用性が高い建具を提供することが可能である。
【発明の効果】
【００１３】
本発明によれば、開口部を取り囲む既存の縁部に容易に取り付けることが可能なふかし枠及び建具を提供することができるという効果がある。
【発明を実施するための最良の形態】
【００１４】
以下、本発明の一実施形態に係るふかし枠及び建具について図面を参照して説明する。以下の説明においては、建具を屋内側から見たときに上下となる方向を上下方向、左右となる方向を左右方向または見付け方向として示す。
【００１５】
図１は、本実施形態に係るふかし枠及び建具の構成を説明するための図である。図２は、横方向に沿った額縁に固定された状態のふかし枠の断面図である。図３は、縦方向に沿った額縁に固定された状態のふかし枠の断面図である。本実施形態では、ふかし枠を、開口部１を取り囲む縁部としての額縁３に取り付ける例についいて説明する。ふかし枠１０が取り付けられる本実施形態の額縁３は、単に装飾用に設けられている額縁ではなく、例えばまぐさ、窓台、方立て等に十分な強度を備えて固定されている。また、以下の説明では、矩形状の額縁３の四辺に同様に設けられる部材については、額縁３の上下に位置する横の部位３ｃ、３ｄにおける対向する面３ｅ側及び左右に位置する縦の部位３ａ、３ｂにおける対向する面３ｆ側を内側とし、反対側を外側として示す。例えば、額縁３の下側の横の部位３ｄでは、上面側が内側、下面側が外側となる。また、引き戸の見込み方向については、建物の内側を室内側、建物の外側を室外側として示す。
【００１６】
図示するように、本実施形態のふかし枠１０は、既に引き戸が設けられている建物の開口部１を取り囲む額縁３に固定され、既存の障子５とは異なる他の障子８を新設するために設けられる。本実施形態においては、ふかし枠１０と新設される障子８とにて新設される建具７が構成されている。
【００１７】
ふかし枠１０は、額縁３に固定される２本の縦固定部材１２及び２本の横固定部材１４と、縦固定部材１２と横固定部材１４とを四隅で各々連結する４つの連結部材２０と、各縦固定部材１２及び各横固定部材１４を覆う樹脂製の化粧部材３０と、新設される障子８がガイドされるレール材４０と、新設される障子８の戸先框が当接される当接材５０と、縦固定部材１２及び横固定部材１４の連結部分においてレール材４０及び当接材５０にて覆われない間隙を塞ぐ間隙カバー６０と、縦固定部材１２及び横固定部材１４に嵌合された化粧部材３０の端部間を外側から覆うコーナー部材７０と、を有している。
【００１８】
縦固定部材１２は、固定される額縁３の縦の部位３ａ、３ｂとほぼ同じ長さを有し、横固定部材１４は固定される額縁３の横の部位３ｃ、３ｄとほぼ同じ長さを有している。縦固定部材１２と横固定部材１４とは、各々の長手方向と交差する断面の形状が同一な、アルミニウム製の押出成形部材である。
【００１９】
縦固定部材１２と横固定部材１４とは断面形状が同じなので、ここでは、下側の横固定部材１４を例に挙げて説明する。図４は、縦固定部材及び横固定部材の断面を示す図である。
【００２０】
図４に示すように、下側の横固定部材１４は、額縁３とほぼ同じ厚さを有する本体部１５と、横固定部材１４の第１内側面１５ａを本体部１５とともに形成し額縁３側に延出された板状の額縁側延出部１６と、第１内側面１５ａより僅かに低い第２内側面１７ａを形成し室内側に延出された板状の室内側延出部１７とを有している。
【００２１】
本体部１５は、長手方向の端部が開放された箱状をなし、長手方向に貫通する３つの空間１５ｂを有し、３つの空間１５ｂは見込み方向に並ぶように平行に形成されている。第１内側面１５ａと第２内側面１７ａとの段差は、横固定部材１４を覆う化粧部材３０の肉厚とほぼ同様の高さを有している。第２内側面１７ａは、本体部１５が有する３つの空間１５ｂのうちの最も室内側に位置する空間１５ｂの上に至るように形成されている。第２内側面１７ａには、最も室内側に位置する空間１５ｂと室内側延出部１７との境界位置に長手方向に沿って溝部１７ｂが形成されている。また、本体部１５の最も額縁３側であって、額縁側延出部１６と反対側、すなわち本体部１５の外面側１５ｃには、化粧部材３０の後述する爪部３０ａが係止される係止凹部１５ｄが形成されている。
【００２２】
そして、各縦固定部材１２及び各横固定部材１４は、第１内側面１５ａ及び第２内側面１７ａが開口部１の内方に向かうように配置される。
【００２３】
本ふかし枠１０には、４つの連結部材２０を用いて縦固定部材１２と横固定部材１４とを連結した４カ所の連結部を有するが、各連結部に用いられる連結部材２０及び連結方法は同じなので、４カ所の連結部のうち１カ所について説明する。
【００２４】
図５は、連結部材を示す斜視図である。連結部材２０は、２本の腕部２２が直交するようにＬ字形に形成された樹脂成形部材である。連結部材２０は、Ｌ字状に形成された側板部２３と、側板部２３の輪郭に沿って全周に亘り、側板部２３の厚さ方向に形成された外形壁部２４と、外形壁部２４の内側を前記腕部２２と直交するように適宜設けられた補強用のリブ２５とを有している。
【００２５】
そして、各腕部２２の断面の外形形状は、縦固定部材１２及び横固定部材１４が有する本体部１５の最も額縁３側の空間１５ｂに挿入される程度の大きさに形成されている。側板部２３には、各々の腕部２２に外形壁部２４とは反対の方向に突出され挿入された縦固定部材１２と横固定部材１４を押圧する圧入突起２３ｅと、２本の腕部２２の基端側に繋げられて形成され縦固定部材１２及び横固定部材１４の位置を規制するための規制突起２３ｆとが設けられている。また、２本の腕部２２の側板部２３には、各々ほぼＵ字状のスリット２３ａが形成されており、スリット２３ａに囲まれたＵ字状の部位２３ｂが側板部２３の面と交差する方向に弾性変形可能に形成されている。スリット２３ａに囲まれたＵ字状の部位２３ｂの先端には、側板部２３の面より突出された押圧凸部２３ｃが設けられている。
【００２６】
そして、縦固定部材１２及び横固定部材１４の空間１５ｂに連結部材２０の腕部２２を挿入すると、押圧凸部２３ｃが縦固定部材１２及び横固定部材１４に押圧されて弾性変形する。さらに腕部２２を挿入すると縦固定部材１２及び横固定部材１４が圧入突起２３ｅに押圧される。このときＵ字状の部位２３ｂの弾性変形により生じた力と圧入突起２３ｅの押圧力が縦固定部材１２及び横固定部材１４に作用して、連結部材２０は縦固定部材１２及び横固定部材１４に圧入状態で挿入される。このため、縦固定部材１２及び横固定部材１４は連結部材２０の腕部２２の範囲で相対位置を任意に変更して、その状態を維持させることが可能である。そして、２本の縦固定部材１２と２本の横固定部材１４とを４つの連結部材２０で連結した際には、２本の縦固定部材１２間の間隔及び２本の横固定部材１４間の間隔を無段階に調整することが可能である。また、腕部２２に対する縦固定部材１２及び横固定部材１４の位置は、規制突起２３ｆにより規制され、縦固定部材１２及び横固定部材１４の端部が規制突起２３ｆに当接された位置より互いに近づかないように構成されている。
【００２７】
また、連結部材２０の２本の腕部２２の基端側には、コーナー部材７０に設けられている後述する２つのフック部７０ｃと各々係合する２つの角穴２３ｄが設けられている。
【００２８】
化粧部材３０は、長手方向のいずれの位置においても断面形状が同じ樹脂成形部材であり、縦固定部材１２と横固定部材１４とにそれぞれ嵌合されるため、本ふかし枠１０では４本用いられている。４本の化粧部材３０は互いに断面形状が同じなので、ここでは、下側の横固定部材１４に嵌合される化粧部材３０を例に挙げて説明する。
【００２９】
図６は、化粧部材の断面図である。化粧部材３０は、嵌合される縦固定部材１２または横固定部材１４とほぼ同じ長さを有している。化粧部材３０は、縦固定部材１２及び横固定部材１４の第２内側面１７ａに当接される内側板部３２と、縦固定部材１２及び横固定部材１４の本体部１５の外側面１５ｅに当接される外側板部３４と、内側板部３２と外側板部３４とを室内側にてほぼ鉛直な面で繋ぐ室内側板部３６と、を有している。
【００３０】
内側板部３２の外側板部３４と対向する面には、横固定部材１４の溝部１７ｂに入り込む凸部３２ａが外側板部３４に向かって長手方向の全域に突設されている。また、外側板部３４の額縁３側の端縁には、横固定部材１４の係止凹部１５ｄに係止される爪部３４ａが内側に向かって長手方向の全域に設けられている。さらに、内側板部３２の内側面３２ｂであって最も室内側の縁部は、内側に向かって突出され、レール材４０または当接材５０の端部が突き当てられることにより位置決めされる位置決め突部３２ｃが、長手方向の全域に設けられている。
【００３１】
そして、化粧部材３０は、内側板部３２と外側板部３４との間に縦固定部材１２及び横固定部材１４の室内側延出部１７が入り込むように装着され、凸部３２ａが縦固定部材１２及び横固定部材１４の溝部１７ｂに、また、爪部３４ａが縦固定部材１２及び横固定部材１４の係止凹部１５ｄにそれぞれ係止されることにより取り付けられる。このとき、縦固定部材１２及び横固定部材１４の第１内側面１５ａと内側板部３２の内側面３２ｂとは、ほぼ平坦な平面を形成する。
【００３２】
図７は、レール材を示す断面図である。レール材４０は、長方形状をなすほぼシート状のレール基部４１に、新設される障子８がガイドされるレール４２と、障子８とレール４２との隙間を覆うように、レール基部４１の最も室内側に立設された壁部４３と、見込み方向の両端部に見付け方向に沿って、レール基部４１のレール４２とは反対側の面４１ａに形成されたシール部４４と、を有している。本実施形態のふかし枠１０には、障子８が引き違うように設けられるため２本のレール４２が形成されている。レール材４０は、樹脂で形成されているが、シール部４４は他の部位より軟質の樹脂にて構成された二色成形部材である。なお、上側のレール材４０のレール４２は障子８に設けられた摺動材（不図示）に入り込み、下側のレール材４０のレール４２は障子８の戸車が載置されるため、上側のレール材４０と下側のレール材４０のレール４２の形状は相違している。
【００３３】
図８は、当接材を示す断面図である。当接材５０は、長方形状をなすほぼシート状の当接基部５１に、新設される障子８を挟むように配置された３枚の仕切部５２と、見込み方向の両端部に見付け方向に沿って、当接基部５１の、仕切部５２とは反対側の面５１ａに形成されたシール部５３と、を有している。３枚の仕切部５２は、当接基部５１の見込み方向における両端部と中央とから内側に向かって突設されている。そして、中央の仕切部５２の先端５２ａには、当接基部５１側に折り返すように形成されたシール部５４が設けられている。このシール部５４は、障子８が新設された際には、障子８の戸先框に接触するように形成されている。このため、左側の縦固定部材１２に取り付けられる当接材（左側当接材）５０と、右側の縦固定部材１２に取り付けられる当接材（右側当接材）５０とでは、シール部５４が折り返されている方向が相違する（図３参照）。本実施形態では、左側当接材５０の中央の仕切部５２には室外側にシール部５４が折り返されるように形成され、右側当接材５０には、室内側にシール部５４が折り返されるように形成されている（図３参照）。当接材５０も、樹脂にて形成されているが、シール部５３，５４は他の部位より軟質の樹脂にて構成された二色成形部材である。
【００３４】
レール材４０は、横固定部材１４の第１内側面１５ａと化粧部材３０の内側板部３２との境界部を覆うように横固定部材１４にねじで固定され、また、当接材５０は、縦固定部材１２の第１内側面１５ａと化粧部材３０の内側板部３２との境界部を覆うように縦固定部材１２にねじで固定される。このとき、当接材５０は上下の横固定部材１４及び化粧部材３０間の間隔とほぼ同じ長さに形成されており、レール材４０は、左右の当接材５０間の間隔とほぼ同じ長さに形成されている。そして、レール材４０の端部は当接材５０の当接基部５１の内側面に当接される。このため、当接材５０の中央の仕切部５２と室外側の仕切部５２とは、レール基部４１が入り込むように上下の端部が切り欠かれている。
【００３５】
レール材４０と当接材５０とが取り付けられると、縦固定部材１２と横固定部材１４とは額縁側延出部１６を除いてほぼ覆われるが、縦固定部材１２の額縁側延出部１６と横固定部材１４の額縁側延出部１６との連結部に間隙が生じる。この間隙を塞ぐために間隙カバー６０が設けられている。
【００３６】
図９は、間隙カバーを示す斜視図である。間隙カバー６０は、縦固定部材１２と横固定部材１４の連結部４カ所に設けられている。間隙カバー６０は、連結部材２０で連結されている縦固定部材１２と横固定部材１４との端部間に挿入させる挿入部６２と、挿入部６２より室外側に位置するＬ字状の覆部６４とを有している。覆部６４は、縦固定部材１２に当接される縦覆部６４ａと横固定部材１４に当接される横覆部６４ｂとを有している。
【００３７】
そして、挿入部６２を縦固定部材１２と横固定部材１４との端部間に挿入させて覆部６４の室外側の縁部を縦固定部材１２と横固定部材１４の室外側の縁部に合わせると、縦固定部材１２の室内側延出部１７と横固定部材１４の室内側延出部１７との連結部分に生じていた間隙が間隙カバー６０にて覆われる。
【００３８】
コーナー部材７０は、縦固定部材１２に嵌合された化粧部材（縦化粧部材）３０と横固定部材１４に嵌合された化粧部材（横化粧部材）３０とが連結部材２０にて連結されている部位に、室内側から縦化粧部材３０及び横化粧部材３０の端部に被せるように設けられている。
【００３９】
図１０は、コーナー部材を示す斜視図である。図示するように、コーナー部材７０は、縦化粧部材３０の端部と横化粧部材３０の端部とを少しずつ覆いＬ字状に繋がった平面部７２と、縦化粧部材３０及び横化粧部材３０の外側を囲むように繋がった周面部７４とを有している。周面部７４は見込み方向に、化粧部材３０の外側板部３４とほぼ同じ長さを有しているので、縦化粧部材３０と横化粧部材３０との間はほぼ覆われる。また、コーナー部材７０には、角部に縦方向に沿ったリブ７０ａと横方向に沿ったリブ７０ｂとが繋がった状態で設けられており、このリブの室外側の縁部には、連結部材２０の角穴２３ｄに係合するフック部７０ｃが、縦方向のリブ７０ａと横方向リブ７０ｂとにそれぞれ設けられている。このため、コーナー部材７０を縦化粧部材３０と横化粧部材３０との連結部に室内側から室外側に向かって装着すると、フック部７０ｃが連結部材２０の角穴２３ｄに係止されることによりコーナー部材７０が取り付けられる。このとき、縦方向のリブ７０ａと横方向リブ７０ｂとは、その上方にて縦固定部材１２に嵌合されている化粧部材３０が下方に下がった際に、化粧部材３０の下端部が当接することにより、化粧部材３０の下がり過ぎを防止するための、下限位置の規制部としても機能している。
【００４０】
そして、ふかし枠１０の施工方法は、まず、２本の縦固定部材１２と２本の横固定部材１４とを予め４つの連結部材２０にて矩形状に連結する。このとき各縦固定部材１２及び各横固定部材１４に連結部材２０は圧入されているので、２本の縦固定部材１２間の間隔、及び２本の横固定部材１４間の間隔は調整可能である。矩形状に形成された縦固定部材１２及び横固定部材１４を、２本の縦固定部材１２間の間隔、及び、２本の横固定部材１４間の間隔を額縁３に合うように適宜調節しつつ、額縁側延出部１６と本体部１５の空間１５ｂを仕切る部位とにそれぞれ設けられたねじ穴にねじを貫通させて額縁３に固定する。このとき、例えば、矩形状に連結された２本の縦固定部材１２間の間隔及び２本の横固定部材１４間の間隔がいずれも開口部１のサイズより小さくなるように連結し、連結された２本の縦固定部材１２と２本の横固定部材１４とを開口部１の下側の額縁３上に載置した後に、２本の縦固定部材１２間の間隔及び２本の横固定部材１４間の間隔を広げて開口部１のサイズに合うように調整して、額縁３にねじで固定してもよい。
【００４１】
額縁３に縦固定部材１２及び横固定部材１４を固定した後に、各縦固定部材１２と各横固定部材１４とにそれぞれ化粧部材３０を嵌合し、コーナー部材７０を室内側から取り付け、間隙カバー６０を装着する。その後、当接材５０の室内側の縁部を縦化粧部材３０の位置決め突部３２ｃに突き合わせて位置決めし、皿木ねじにて固定する。最後に、レール材４０を撓ませながらレール材４０の端部を、第１内側面１５ａ及び第２内側面１７ａと当接材５０の端部との間に挿入し、レール材４０を第１内側面１５ａ及び第２内側面１７ａに沿わせた後に皿木ねじにて固定する。このとき、当接材５０の室内側の仕切部５２にレール材４０の壁部４３を当接させてレール材４０の見込み方向の位置決めをする。
【００４２】
本実施形態のふかし枠１０によれば、２本の縦固定部材１２の間隔及び２本の横固定部材１４の間隔が調整自在に構成されているので、既存の額縁３に対応させてふかし枠１０のサイズを調整することが可能である。例えば、矩形状に連結した２本の縦固定部材１２と２本の横固定部材１４とを額縁３上に載置した後に開口部１のサイズに合わせるべく調整することが可能である。このため、施工性が良く汎用性が高いふかし枠１０を提供することが可能である。
【００４３】
また、ふかし枠１０は、２本の縦固定部材１２と２本の横固定部材１４とを連結部材２０により連結した状態で既存の額縁３に取り付けるので、固定部材を個々に額縁３に取り付ける場合より、互いの相対位置が合わせ易い。例えば２本の縦固定部材１２同士及び２本の横固定部材１４同士が互いに平行になるように、また、縦固定部材１２と横固定部材１４とが直交するように連結したうえで額縁３に固定することも可能である。このため、額縁３に固定した後に調整する必要がないので施工が容易である。
【００４４】
また、金属製の縦固定部材１２及び横固定部材１４を覆う化粧部材３０は樹脂製なので、化粧部材３０の弾性により化粧部材３０を縦固定部材１２及び横固定部材１４に容易に嵌合して、額縁３に固定された縦固定部材１２及び横固定部材１４を覆うことが可能である。また、レール材４０は、横固定部材１４と化粧部材３０との境界部分を覆うように、また、当接材５０は、縦固定部材１２と化粧部材３０との境界部分を覆うように設けられているので、化粧部材３０は縦固定部材１２及び横固定部材１４から外れにくくなり、単に嵌合した場合よりも強固に取り付けることが可能である。
【００４５】
このとき、レール材４０または当接材５０が化粧部材３０に設けられた位置決め突部３２ｃに沿わせて固定されることにより、レール材４０または当接材５０を適切な位置に、容易に配置することができるためレール材４０または当接材５０の取り付けが容易である。
【００４６】
また、縦固定部材１２及び横固定部材１４の連結部分の間隙がレール材４０、当接材５０及び間隙カバー６０により塞がれるので、埃等が入り込む隙間が生じず、また、美観の優れたふかし枠１０を形成することが可能である。
【００４７】
さらに、コーナー部材７０により各化粧部材３０の端部間が外側から覆われるので、化粧部材３０の端部が外側に露出せず美観に優れたふかし枠１０を実現することが可能である。また、コーナー部材７０の規制部としてのリブ７０ａ、７０ｂにより化粧部材３０の下限位置が規制されるので、たとえ化粧部材３０が下方に下がってしまったとしても、リブ７０ａ、７０ｂに規制され、上端部が露出されることを防止することが可能である。
【００４８】
本実施形態においては、当接材５０の縁部を化粧部材３０の位置決め突部３２ｃに突き合わせて位置決めした後に、当接材５０の仕切部５２にレール材４０の壁部４３を当接させてレール材４０の位置決めをしたが、レール材４０を化粧部材３０の位置決め突部３２ｃにて位置決めし、レール材４０の壁部４３に当接材５０の仕切部５２を当接させて当接材５０を位置決めしてもよい。
【００４９】
本実施形態においては、ふかし枠１０を額縁３に取り付ける例を挙げて説明したが、開口部１を取り囲む縁部であって十分な強度を有する部材であれば、ふかし枠１０が取り付けられる部位は必ずしも額縁でなくとも構わない。
【００５０】
また、本実施形態においては、連結部材２０の側板部２３に設けられた弾性変形可能なＵ字状の部位２３ｂと押圧凸部２３ｃとを、縦固定部材１２及び横固定部材１４に連結部材２０が圧入される際に圧力を作用させる部材として用いたが、例えば縦固定部材１２及び横固定部材１４に押圧凸部２３ｃが入り込む穴を長手方向に沿って複数形成しておくと、縦固定部材１２及び横固定部材１４と連結部材２０との相対位置を段階的に調節可能な構成とすることが可能である。
【図面の簡単な説明】
【００５１】
【図１】本実施形態に係るふかし枠及び建具の構成を説明するための図である。
【図２】横方向に沿った額縁に固定された状態のふかし枠の断面図である。
【図３】縦方向に沿った額縁に固定された状態のふかし枠の断面図である。
【図４】縦固定部材及び横固定部材の断面図である。
【図５】連結部材を示す斜視図である。
【図６】化粧部材の断面図である。
【図７】レール材を示す断面図である。
【図８】当接材を示す断面図である。
【図９】間隙カバーを示す斜視図である。
【図１０】コーナー部材を示す斜視図である。
【符号の説明】
【００５２】
７  建具、８  障子、１０  ふかし枠、１２  縦固定部材、
１４  横固定部材、２０  連結部材、３０  化粧部材、
４０  レール材、５０  当接材、６０  間隙カバー、
７０  コーナー部材
【図１】
2007297831.tif 000003
【図２】
2007297831.tif 000004
【図３】
2007297831.tif 000005
【図４】
2007297831.tif 000006
【図５】
2007297831.tif 000007
【図６】
2007297831.tif 000008
【図７】
2007297831.tif 000009
【図８】
2007297831.tif 000010
【図９】
2007297831.tif 000011
【図１０】
2007297831.tif 000012